(57)【要約】      （修正有）【課題】前端の支持スタンドが後端に向かって枢動して折り畳むことができ、包装箱が占める体積を削減し、搬送コストを低下させる折り畳み式楕円運動装置を提供する。【解決手段】ベース１を含み、ベースの前端１１に枢着部３が設けられ、後端１２に回動及び抵抗機構２が設けられ、回動及び抵抗機構にそれを駆動するように踏み部２１が設けられている。支持スタンド４が枢着部に枢設され、ベースの後端に向かって枢動して折り畳むことができ、また、支持スタンドを枢着部に選択的に固定するように、支持スタンドと枢着部との間に固定構造５が設けられている。【選択図】図１
0003203773.tif 000002
【実用新案登録請求の範囲】
【請求項１】
前端及び後端を有し、前記前端に枢着部が設けられ、前記後端に回動及び抵抗機構が設けられ、前記回動及び抵抗機構にそれを駆動するように踏み部が設けられたベースと、
前記枢着部に枢設され、前記後端に向かって枢動して折り畳むことのできる支持スタンドと、
前記支持スタンドを前記枢着部に選択的に固定するように、前記支持スタンドと前記枢着部との間に設けられた固定構造と、
を含む折り畳み式楕円運動装置。
【請求項２】
前記固定構造は、ボルト、前記支持スタンドを貫通する貫通穴及び前記枢着部に設けられたねじ穴を含み、
前記ボルトが前記貫通穴に穿設され、且つ前記ねじ穴に選択的に螺合されたことにより、前記支持スタンドを前記枢着部に固定する請求項１に記載の折り畳み式楕円運動装置。
【請求項３】
前記固定構造は、ボルト、該枢着部を貫通する貫通穴及び前記支持スタンドに設けたねじ穴を含み、
前記ボルトが前記貫通穴に穿設され、且つ前記ねじ穴に選択的に螺合されたことにより、前記支持スタンドを前記枢着部に固定する請求項１に記載の折り畳み式楕円運動装置。
【請求項４】
前記ベースは前記前端に延在部が立設され、且つ前記枢着部が前記延在部に設けられた請求項１に記載の折り畳み式楕円運動装置。
【請求項５】
前記枢着部に、前記支持スタンドの枢動範囲を制限するための阻止部が設けられた請求項１に記載の折り畳み式楕円運動装置。
【考案の詳細な説明】
【技術分野】
【０００１】
本考案は楕円運動装置に関し、特に折り畳み可能な楕円運動装置に関する。
【背景技術】
【０００２】
案ずるに、楕円運動機は一般的な運動トレーニング器具であって、通常は自転車の形態に形成され、揺動アーム、アームレスト及びステップバー等の数多くの部材を含む。該機器は、各部材がメーカーによって製造され、消費者が注文した後、メーカーから組立て場所に搬送され、そして組立てられたものである。しかしながら、部材の数が多いので、組立作業が複雑過ぎて、時間がかかるという欠点がある。
【０００３】
好ましくは、製造段階において予め部材の一部を組立てて半製品を形成しておくことにより、消費者の指定した場所で組み立てる際に、組立作業が簡単化され、組立てに要する時間を減少させることができる。しかし、半製品の構造は互いに分解された部材より、大きな空間を占めるので、搬送のため、より大きな箱で包装する必要があり、搬送コストが増加する恐れがある。
【考案の概要】
【０００４】
本考案は、前端の支持スタンドが後端に向かって枢動して折り畳むことができることによって、包装箱が占める体積を削減し、搬送コストを低下させる折り畳み式楕円運動装置を提供することを主目的とする。
【図面の簡単な説明】
【０００５】
【図１】本考案の展開状態を示す模式的な平面図である。
【図２】本考案の支持スタンドと枢着部との間の分解斜視図である。
【図３】本考案の折り畳み状態を示す模式的な平面図である。
【図４】本考案の固定構造の展開状態における実施形態の模式的な断面図である。
【図５】本考案の固定構造の折り畳み状態における実施形態の模式的な断面図である。
【図６】本考案の固定構造の展開状態における他の実施形態の模式的な断面図である。
【図７】本考案の固定構造の折り畳み状態における他の実施形態の模式的な断面図である。
【考案を実施するための形態】
【０００６】
図１に示すように、本考案の提供する折り畳み式楕円運動装置はベース１を含み、該ベース１が前端１１及び後端１２を有し、該後端１２に回動及び抵抗機構２が設けられ、該回動及び抵抗機構２に、ユーザーが踏んで駆動する踏み部２１が設けられている。前記部材で構成される楕円運動装置は従来技術におけるいずれの実施形態であってもよいので、本明細書には詳述しない。
【０００７】
本考案において、該ベース１の前端１１に上向きに延在する延在部１３が立設され、かつ該延在部１３の頂端に枢着部３が設けられている。図１及び図２に示すように、該枢着部３は１つの前面壁３１及び２つの側面壁３２を有し、それらが接続して凹状に形成することにより枢動空間３３が取り囲まれ、また上向きかつ該ベース１の後端１２に向かっている開口３４を有する。支持スタンド４は該枢動空間３３において該枢着部３に枢設され、且つ該開口３４を介して張り出し、該支持スタンド４には、支持するための制御パネル４１又は手摺り４２等の構造を設置することができる。一方、枢着により、該支持スタンド４が該枢着部３に対して枢動することができることで、その位置を変えて展開或いは折り畳み状態を切り換える。展開状態とは、図１に示すように、該支持スタンド４が該ベース１の前端１１に向かって枢動して上向きに延在する位置まで移動し、折り畳み状態とは、図３に示すように、該支持スタンド４が該ベース１の後端１２に向かって枢動して該ベース１に近い位置に移動することを意味する。
【０００８】
さらに、該支持スタンド４の枢動範囲に制限がある。具体的には、該支持スタンド４が展開状態にある場合、該枢着部３の前面壁３１の阻止により上向きに張り出す位置に止まる一方、該枢着部３はその開口３４の底部に阻止部３５が設けられることにより、該支持スタンド４が該ベース１の後端１２に向かって枢動する際に、該阻止部３５に阻止されると揺動が停止し、折り畳み状態になる。
【０００９】
さらに、本考案において、該支持スタンド４と該枢着部３との間に固定構造５が設けられることにより、該支持スタンド４が展開状態にある時に該枢着部３に固定され、されに制御パネル４１及び手摺り４２の位置が固定される。本考案において、該固定構造５は２つの実施形態があり、その１つは、図２に示すように、該支持スタンド４に前後に貫通する貫通穴５１が設けられ、該枢着部３には、該貫通穴５１に対応する位置にねじ穴５２が設けられ、ボルト５３が該貫通穴５１を貫通して、該ねじ穴５２に螺合されている。これにより、該支持スタンド４が展開状態にある時、図４に示すように、該ボルト５３により該支持スタンド４を該枢着部３に固定することができ、その位置が固定される。これに対して、図５に示すように、該ボルト５３が解放されると、該支持スタンド４が固定解除され、該支持スタンド４が折り畳まれることができる。
【００１０】
該固定構造の他の実施形態は、図６に示す。該枢着部３に前後に貫通する貫通穴５４が設けられ、該支持スタンド４に、該貫通穴５４に対応する位置にねじ穴５５が設けられ、ボルト５６が該貫通穴５４を貫通して、該ねじ穴５５に螺合される。これに対して、図５に示すように、該ボルト５６が解放されると、該支持スタンド４が固定解除され、該支持スタンド４が折り畳まれる。このようにして、上記と同じ固定効果を達成することができる。
【００１１】
前記構造により、本考案は生産製造の段階で少なくとも該ベース１と該支持スタンド４とを半製品に組み立て、さらに該支持スタンド４を該ベース１の後端１２に向かって枢動することによる折り畳み状態により、その半製品が占める空間を削減し、包装及び搬送のコストを低下させる。さらに、本考案の装置が販売された後、該ベース１と該支持スタンド４が半製品に組み立てられているので、ユーザーが組み立てる時に、組み立てに必要な作業量及び作業時間を節約することができる。一方、本考案の装置は使用されていない場合に、該支持スタンド４を該ベース１の後端１２に向かって枢動して折り畳み状態を形成することにより、占める空間を節約して収納を容易にしてもよい。
【符号の説明】
【００１２】
ベース１                    前端１１
後端１２                    延在部１３
回動及び抵抗機構２          踏み部２１
枢着部３                    前面壁３１
側面壁３２                  枢動空間３３
開口３４                    阻止部３５
支持スタンド４              制御パネル４１
手摺り４２                  固定構造５
貫通穴５１                  ねじ穴５２
ボルト５３                  貫通穴５４
ねじ穴５５                  ボルト５６
【図１】
0003203773.tif 000003
【図２】
0003203773.tif 000004
【図３】
0003203773.tif 000005
【図４】
0003203773.tif 000006
【図５】
0003203773.tif 000007
【図６】
0003203773.tif 000008
【図７】
0003203773.tif 000009